(57)【要約】【課題】家庭内での幼児から大人までの成長に応じたライフスタイルの変化に対応可能なユニット家具を提供する。【解決手段】矩形板状に設けられ、各角部が曲面状に形成された天井ユニット３ａと、天井ユニット２ａの下面に対して、立った状態に取り付け及び取り外し可能に柱状に設けられ、横断面における各角部が曲面状に形成された柱ユニット４と、天井ユニット３ａの下面に対して、立った状態に取り付け及び取り外し可能に板状に設けられた壁面ユニット７ａ、７ｂとを備え、天井ユニット３ａは、その下面に柱ユニット４及び壁面ユニット７ａ、７ｂを取り付けて水平に保持されるように設けられている。【選択図】図１
2014195486.tif 000002
【特許請求の範囲】
【請求項１】
矩形板状に設けられ、各角部が曲面状に形成された天井ユニットと、
上記天井ユニットの下面に対して、立った状態に取り付け及び取り外し可能に柱状に設けられ、横断面における各角部が曲面状に形成された柱ユニットと、
上記天井ユニットの下面に対して、立った状態に取り付け及び取り外し可能に板状に設けられた壁面ユニットとを備え、
上記天井ユニットは、該天井ユニットの下面に上記柱ユニット及び壁面ユニットを取り付けて水平に保持されるように設けられていることを特徴とするユニット家具。
【請求項２】
請求項１に記載されたユニット家具において、
上記柱ユニットは、高さ方向に互いに連結可能に設けられた複数の柱材により構成されていることを特徴とするユニット家具。
【請求項３】
請求項１又は２に記載されたユニット家具において、
上記壁面ユニットは、高さ方向に互いに連結可能に設けられた複数の壁材により構成されていることを特徴とするユニット家具。
【請求項４】
請求項１〜３の何れか１つに記載されたユニット家具において、
上記壁面ユニットには、厚さ方向に貫通する開口部が設けられ、該開口部には、蓋材が嵌め込まれていることを特徴とするユニット家具。
【請求項５】
請求項１〜４の何れか１つに記載されたユニット家具において、
上記天井ユニットの上面側に登るための階段ユニットと、
上記天井ユニットの上面に対して、立った状態に取り付け及び取り外し可能に設けられた手摺ユニットとを備えていることを特徴とするユニット家具。
【発明の詳細な説明】
【技術分野】
【０００１】
本発明は、ユニット家具に関するものである。
【背景技術】
【０００２】
ユニット家具は、複数のユニットを有し、例えば、使用者のライフスタイルに合わせて、ユニットを組み合わせることにより、所望の構造になるように設計されている。
【０００３】
例えば、特許文献１には、階段を有する階段ユニットと、その階段ユニットの階段最上階と略同じ高さに踏み板を備えたロフトユニットとを備え、少なくとも何れか１つのユニットに収納部が設けられた組み合わせ自在なロフト型壁面収納ユニットが開示されている。
【先行技術文献】
【特許文献】
【０００４】
【特許文献１】登録実用新案第３１０３４３４号公報
【発明の概要】
【発明が解決しようとする課題】
【０００５】
上記特許文献１に開示されたロフト型壁面収納ユニットは、幼稚園や保育園などの部屋の壁面に沿って設置するものであるので、園内での目的に合わせてユニットの配置換えを行うことができるものの、家庭内での幼児から大人までの成長に応じたライフスタイルの変化に対応することができないので、改善の余地がある。
【０００６】
本発明は、かかる点に鑑みてなされたものであり、その目的とするところは、家庭内での幼児から大人までの成長に応じたライフスタイルの変化に対応可能なユニット家具を提供することにある。
【課題を解決するための手段】
【０００７】
上記目的を達成するために、本発明は、矩形板状に設けられた天井ユニットと、天井ユニットの下面に対して、立った状態に取り付け及び取り外し可能に柱状に設けられた柱ユニットと、天井ユニットの下面に対して、立った状態に取り付け及び取り外し可能に板状に設けられた壁面ユニットとを備えるようにしたものである。
【０００８】
具体的に本発明に係るユニット家具は、矩形板状に設けられ、各角部が曲面状に形成された天井ユニットと、上記天井ユニットの下面に対して、立った状態に取り付け及び取り外し可能に柱状に設けられ、横断面における各角部が曲面状に形成された柱ユニットと、上記天井ユニットの下面に対して、立った状態に取り付け及び取り外し可能に板状に設けられた壁面ユニットとを備え、上記天井ユニットは、該天井ユニットの下面に上記柱ユニット及び壁面ユニットを取り付けて水平に保持されるように設けられていることを特徴とする。
【０００９】
上記の構成によれば、矩形板状に設けられた天井ユニットと、天井ユニットの下面に対して、立った状態に取り付け及び取り外し可能に柱状に設けられた柱ユニットと、天井ユニットの下面に対して、立った状態に取り付け及び取り外し可能に板状に設けられた壁面ユニットとを備え、天井ユニットがその下面に柱ユニット及び壁面ユニットを取り付けて水平に保持されるので、例えば、柱ユニット及び壁面ユニットの高さを適宜設定することにより、柱ユニット及び壁面ユニットにより水平に保持された天井ユニットの上面側及び下面側の各空間が有効に活用され易くなり、家庭内での幼児から大人までの成長に応じたライフスタイルの変化に対応可能なユニット家具を提供することができる。また、天井ユニットの各角部、及び柱ユニットの横断面における各角部が曲面状（Ｒ形状）に設けられているので、特に、幼児の各角部との衝突に起因する怪我が抑制されることになり、ユニット家具の衝突に対する安全性を向上させることができる。
【００１０】
上記柱ユニットは、高さ方向に互いに連結可能に設けられた複数の柱材により構成されていてもよい。
【００１１】
上記の構成によれば、柱ユニットが高さ方向に互いに連結可能に設けられた複数の柱材により構成されているので、家庭内での幼児から大人までの成長に応じたライフスタイルの変化に合わせて、所定数の柱材を高さ方向に連結することにより、柱ユニットの高さを変更することができる。
【００１２】
上記壁面ユニットは、高さ方向に互いに連結可能に設けられた複数の壁材により構成されていてもよい。
【００１３】
上記の構成によれば、壁面ユニットが高さ方向に互いに連結可能に設けられた複数の壁材により構成されているので、家庭内での幼児から大人までの成長に応じたライフスタイルの変化に合わせて、所定数の壁材を高さ方向に連結することにより、壁面ユニットの高さを変更することができる。
【００１４】
上記壁面ユニットには、厚さ方向に貫通する開口部が設けられ、該開口部には、蓋材が嵌め込まれていてもよい。
【００１５】
上記の構成によれば、壁面ユニットには、厚さ方向に貫通する開口部が設けられ、その開口部には、蓋材が嵌め込まれているので、開口部が開口した状態の壁面ユニットと、開口部が閉口した状態の壁面ユニットとを共用化することにより、壁面ユニットの種類を少なくすることができる。
【００１６】
上記天井ユニットの上面側に登るための階段ユニットと、上記天井ユニットの上面に対して、立った状態に取り付け及び取り外し可能に設けられた手摺ユニットとを備えていてもよい。
【００１７】
上記の構成によれば、天井ユニットの上面側に登るための階段ユニットと、天井ユニットの上面に対して、立った状態に取り付け及び取り外し可能に設けられた手摺ユニットとを備えているので、階段ユニットによって幼児であっても天井ユニットの上面側に容易に登ることができると共に、手摺ユニットによって天井ユニットの上面側からの転落を抑制することができる。
【００１８】
上記柱ユニットは、上記天井ユニットの各角部に対応するように４つ設けられ、隣り合う上記柱ユニット同士の間の３つには、上記壁面ユニットがそれぞれ設けられていてもよい。
【００１９】
上記柱ユニットは、上記天井ユニットの隣り合う２つの角部に対応するように２つ設けられ、上記壁面ユニットは、上記天井ユニットにおける上記柱ユニットが設けられていない隣り合う２つの角部の間の辺に沿って設けられていてもよい。
【００２０】
上記柱ユニットは、上記天井ユニットの各角部に対応するように４つ設けられ、隣り合う一対の上記柱ユニットの間には、上記壁面ユニットが設けられ、上記天井ユニットの上面における上記壁面ユニットが設けられた辺に対向する辺に対して、立った状態に取り付け及び取り外し可能に板状に設けられた他の壁面ユニットを備えていてもよい。
【００２１】
上記柱ユニットは、上記天井ユニットの隣り合う２つの角部に対応するように２つ設けられ、上記２つの柱ユニットの間には、上記壁面ユニットが設けられ、上記天井ユニットにおける上記柱ユニットが設けられていない隣り合う２つの角部の間の一辺に対して、取り付け及び取り外し可能に設けられた他の壁面ユニットを備えていてもよい。
【発明の効果】
【００２２】
本発明によれば、矩形板状に設けられた天井ユニットと、天井ユニットの下面に対して、立った状態に取り付け及び取り外し可能に柱状に設けられた柱ユニットと、天井ユニットの下面に対して、立った状態に取り付け及び取り外し可能に板状に設けられた壁面ユニットとを備えているので、家庭内での幼児から大人までの成長に応じたライフスタイルの変化に対応可能なユニット家具を提供することができる。
【図面の簡単な説明】
【００２３】
【図１】実施形態１に係るユニット家具の斜視図である。
【図２】実施形態１に係るユニット家具の正面図である。
【図３】実施形態１に係るユニット家具の左側面図である。
【図４】実施形態１に係るユニット家具の右側面図である。
【図５】実施形態１に係るユニット家具の平面図である。
【図６】実施形態１に係るユニット家具を構成する壁面ユニットの断面図である。
【図７】実施形態２に係るユニット家具の斜視図である。
【図８】実施形態３に係るユニット家具の斜視図である。
【図９】実施形態４に係るユニット家具の斜視図である。
【図１０】実施形態５に係るユニット家具の斜視図である。
【発明を実施するための形態】
【００２４】
以下、本発明の実施形態を図面に基づいて詳細に説明する。なお、本発明は、以下の各実施形態に限定されるものではない。
【００２５】
《発明の実施形態１》
図１〜図６は、本発明に係るユニット家具の実施形態１を示している。ここで、図１、図２、図３、図４及び図５は、本実施形態のユニット家具３０ａをそれぞれ示す斜視図、正面図、左側面図、右側面図及び平面図である。また、図６（ａ）及び図６（ｂ）は、ユニット家具３０ａを構成する壁面ユニット７ｂの断面図である。なお、図１では、ユニットの構造を明確に示すために、後述するネット１３を省略している。
【００２６】
ユニット家具３０ａは、図１〜図５に示すように、平面視で正方形の板状に設けられた天井ユニット３ａと、天井ユニット３ａの下面における各角部に立った状態に柱状にそれぞれ設けられた４つの柱ユニット４（４ａ〜４ｄ）と、天井ユニット３ａの下面における柱ユニット４ａ及び４ｂの間、並びに柱ユニット４ｂ及び４ｃの間に立った状態に板状にそれぞれ設けられた２つの壁面ユニット７ａと、柱ユニット４ｃ及び４ｄの間に立った状態に板状に設けられた壁面ユニット７ｂと、天井ユニット３ａの上面における端縁に沿って立った状態に設けられた手摺ユニット１２ａと、柱ユニット４ａ及び４ｂの間の壁面ユニット７ａに接するように設けられた階段ユニット１４とを備えている。なお、ユニット家具３０ａの図１中の左上側及び右上側の面は、例えば、部屋の壁面などに接触している。
【００２７】
天井ユニット３ａは、図１及び図５に示すように、例えば、各角部が曲面状（Ｒ形状）に形成された天板１ａと、天板１ａの内側に平面視で正方形状に形成された凹部内に敷かれた４枚のウレタン畳２とを備えている。なお、天板１ａは、例えば、木製や合成樹脂製などである。
【００２８】
柱ユニット４は、天井ユニット３ａの下面に対して、立った状態に取り付け及び取り外し可能に設けられている。ここで、柱ユニット４は、例えば、その天井ユニット３ａ側に形成された凸部と、天井ユニット３ａに形成された凹部とを嵌合させることなどにより、天井ユニット３ａに固定されるように構成されている。また、柱ユニット４では、横断面における角度が曲面状（Ｒ形状）に形成されている。なお、柱ユニット４は、例えば、木製や合成樹脂製などである。
【００２９】
壁面ユニット７ａ及び７ｂは、天井ユニット３ａの下面に対して、立った状態に取り付け及び取り外し可能に設けられている。ここで、壁面ユニット７ａ及び７ｂは、例えば、その天井ユニット３ａ側に形成された凸部と、天井ユニット３ａに形成された凹部とを嵌合させることなどにより、天井ユニット３ａに固定されるようにそれぞれ構成されている。また、柱ユニット４ａ及び４ｂの間の壁面ユニット７ａには、図２及び図４に示すように、例えば、ウレタン樹脂製の複数のノブ１１が設けられている。なお、壁面ユニット７ａ及び７ｂは、例えば、木製や合成樹脂製などである。
【００３０】
壁面ユニット７ｂには、図１、図３及び図６（ａ）に示すように、厚さ方向に貫通する平面視で円形状の開口部Ｈが設けられ、その開口部Ｈには、例えば、アクリル樹脂製の透明な蓋材１０ａが嵌め込まれている。なお、図６（ｂ）に示すように、壁面ユニット７ｂの開口部Ｈに、例えば、壁面ユニット７ｂと同じ材質の不透明な蓋材１０ｂを嵌め込むことにより、壁面ユニット７ａと同じような（開口部が設けられていない）ユニットを構成してもよい。また、壁面ユニット７ｂの開口部Ｈに嵌め込む蓋材は、平面視で三角形や四角形などの形状に設けられた透明な蓋中部と、その蓋中部を嵌め込むための開口が内側に形成され、開口部Ｈに外側が嵌合するように設けられた不透明な蓋枠部とを備え、窓の形状を変更可能にしてもよい。
【００３１】
手摺ユニット１２ａは、天井ユニット３ａの上面に対して、立った状態に取り付け及び取り外し可能に設けられている。また、手摺ユニット１２ａの手摺の部分と天井ユニット３ａとの間には、転落防止用のネット１３が設けられている。なお、手摺ユニット１２ａは、例えば、木製や合成樹脂製などであり、その表面にクッション性の手摺カバーが設けられていてもよい。
【００３２】
階段ユニット１４は、図２及び図４に示すように、階段状に設けられた複数の踏み板と、天井ユニット３ａの上面と同じ高さに設けられた踊り場と、隣り合う一対の踏み板の各間、並びに最上段の踏み板及び踊り場の間にそれぞれ設けられた複数の蹴込み板と、下段側の踏み板にそれぞれ設けられた２つの引き出し１５とを備えている。ここで、各踏み板及び踊り場の端縁部には、線状の滑り止めが設けられている。なお、階段ユニット１４は、例えば、木製や合成樹脂製などである。
【００３３】
上記構成のユニット家具３０ａは、天井ユニット３ａの下面に、各柱ユニット４、並び壁面ユニット７ａ及び７ｂを取り付けることにより、天井ユニット３ａを水平に保持し、天井ユニット３ａの下面側に幼児の秘密基地のような空間を形成すると共に、天井ユニット３ａの上面側にロフトのような空間を形成するようになっている。また、上記構成のユニット家具３０ａは、ユニットを組み替えることにより、後述する実施形態２〜５のユニット家具３０ｂ〜３０ｅに変形することができる。
【００３４】
以上説明したように、本実施形態のユニット家具３０ａによれば、矩形板状に設けられた天井ユニット３ａと、天井ユニット３ａの下面に対して、立った状態に取り付け及び取り外し可能に柱状に設けられた柱ユニット４と、天井ユニット３ａの下面に対して、立った状態に取り付け及び取り外し可能に板状に設けられた壁面ユニット７ａ及び７ｂとを備え、天井ユニット３ａがその下面に各柱ユニット４並びに壁面ユニット７ａ及び７ｂを取り付けて水平に保持されるので、各柱ユニット４並びに壁面ユニット７ａ及び７ｂの高さを適宜設定することにより、各柱ユニット４並びに壁面ユニット７ａ及び７ｂにより水平に保持された天井ユニット３ａの上面側及び下面側の各空間が有効に活用され易くなり、家庭内での幼児から大人までの成長に応じたライフスタイルの変化に対応可能なユニット家具３０ａを提供することができる。また、天井ユニット３ａの各角部、及び各柱ユニット４の横断面における各角部が曲面状（Ｒ形状）に設けられているので、特に、幼児の各角部との衝突に起因する怪我が抑制されることになり、ユニット家具３０ａの衝突に対する安全性を向上させることができる。
【００３５】
また、本実施形態のユニット家具３０ａによれば、柱ユニット４が天井ユニット３ａの各角部に対応するように４つ設けられ、隣り合う柱ユニット４同士の間の４つのうちの３つには、壁面ユニット７ａ及び７ｂがそれぞれ設けられているので、天井ユニット３ａの下面側に３面の壁面ユニット７ａ及び７ｂで囲まれた空間を形成することができる。
【００３６】
また、本実施形態のユニット家具３０ａによれば、壁面ユニット７ｂに厚さ方向に貫通する開口部Ｈが設けられ、その開口部Ｈに蓋材１０ｂが嵌め込まれている場合には、開口部Ｈが開口した状態の壁面ユニット７ｂと、開口部が閉口した状態の壁面ユニット７ａとを共用化することにより、壁面ユニットの種類を少なくすることができる。そして、壁面ユニット７ｂの開口部Ｈには、透明な蓋材１０ａが嵌め込まれている場合には、ユニット家具３０ａの内部の様子を外から確認することができる。
【００３７】
また、本実施形態のユニット家具３０ａによれば、天井ユニット３ａの上面側に登るための階段ユニット１４と、天井ユニット３ａの上面に対して、立った状態に取り付け及び取り外し可能に設けられた手摺ユニット１２ａとを備えているので、階段ユニット１４によって幼児であっても天井ユニット３ａの上面側に容易に登ることができると共に、手摺ユニット１２ａ及びそれに取り付けられたネット１３によって天井ユニット３ａの上面側からの転落を抑制することができる。
【００３８】
《発明の実施形態２》
図７は、本実施形態のユニット家具３０ｂの斜視図である。なお、以下の各実施形態において、図１〜図６と同じ部分については同じ符号を付して、その詳細な説明を省略する。
【００３９】
ユニット家具３０ｂは、図７に示すように、平面視で長方形の板状に設けられた天井ユニット３ｂと、天井ユニット３ｂの下面における図中右下側の辺の両端の各角部に立った状態に柱状にそれぞれ設けられた２つの柱ユニット４ｅと、天井ユニット３ｂの下面における図中左上側の辺に立った状態に板状に設けられた壁面ユニット７ｃと、天井ユニット３ｂの上面における端縁に沿ってそれぞれ設けられた手摺ユニット１２ｂ及び１２ｃと、天井ユニット３ｂの端縁部に固定されるように設けられたはしご１８とを備えている。なお、ユニット家具３０ｂの図中の左上側の面は、例えば、部屋の壁面などに接触している。
【００４０】
天井ユニット３ｂは、図７に示すように、例えば、各角部が曲面状（Ｒ形状）に形成された天板１ｂと、天板１ｂの内側に平面視で長方形状に形成された凹部内に敷かれた２枚のウレタン畳２とを備えている。なお、天板１ｂは、例えば、木製や合成樹脂製などである。
【００４１】
柱ユニット４ｅは、天井ユニット３ｂの下面に対して、立った状態に取り付け及び取り外し可能に設けられている。また、柱ユニット４ｅは、図７に示すように、高さ方向に互いに連結可能に設けられた第１柱材５及び第２柱材６を備えている。ここで、第２柱材６は、例えば、その第１柱材５側に形成された凹部と、第１柱材５に形成された凸部とを嵌合させることなどにより、第１柱材５に固定されると共に、その天井ユニット３ｂ側に形成された凸部と、天井ユニット３ｂに形成された凹部とを嵌合させることなどにより、天井ユニット３ｂに固定されるように構成されている。また、第１柱材５及び第２柱材６では、横断面における角度が曲面状（Ｒ形状）に形成されている。なお、第１柱材５は、上記実施形態１の柱ユニット４と実質的に同じ構成になっており、例えば、木製や合成樹脂製などである。また、第２柱材６は、例えば、木製や合成樹脂製などである。
【００４２】
壁面ユニット７ｃは、天井ユニット３ｂの下面に対して、立った状態に取り付け及び取り外し可能に設けられている。また、壁面ユニット７ｃは、図７に示すように、高さ方向に互いに連結可能に設けられた第１壁材８ａ及び第２壁材９を備えている。ここで、第２壁材９は、例えば、その第１壁材８ａ側に形成された凹部と、第１壁材８ａに形成された凸部とを嵌合させることなどにより、第１壁材８ａに固定されると共に、その天井ユニット３ｂ側に形成された凸部と、天井ユニット３ｂに形成された凹部とを嵌合させることなどにより、天井ユニット３ｂに固定されるように構成されている。また、第１壁材８ａの内側の壁面には、図７に示すように、板状のカウンター１６が設けられている。なお、第１壁材８ａは、上記実施形態１の壁面ユニット７ａと実質的に同じ構成になっており、例えば、木製や合成樹脂製などである。また、第２壁材９及びカウンター１６は、例えば、木製や合成樹脂製などである。
【００４３】
手摺ユニット１２ｂ及び１２ｃは、天井ユニット３ｂの上面に対して、立った状態に取り付け及び取り外し可能に設けられている。なお、手摺ユニット１２ｂ及び１２ｃは、例えば、木製や合成樹脂製などであり、その表面にクッション性の手摺カバーが設けられていてもよい。
【００４４】
上記構成のユニット家具３０ｂは、天井ユニット３ｂの下面に、各柱ユニット４ｅ及び壁面ユニット７ｃを取り付けることにより、天井ユニット３ｂを水平に保持し、天井ユニット３ｂの下面側にデスクスペースのような空間を形成すると共に、天井ユニット３ｂの上面側にベッドスペースのような空間を形成するようになっている。また、上記構成のユニット家具３０ｂは、ユニットを組み替えることにより、上記実施形態１のユニット家具３０ａ、後述する実施形態３〜５のユニット家具３０ｃ〜３０ｅに変形することができる。
【００４５】
以上説明したように、本実施形態のユニット家具３０ｂによれば、上記実施形態１と同様に、矩形板状に設けられた天井ユニット３ｂと、天井ユニット３ｂの下面に対して、立った状態に取り付け及び取り外し可能に柱状に設けられた柱ユニット４ｅと、天井ユニット３ｂの下面に対して、立った状態に取り付け及び取り外し可能に板状に設けられた壁面ユニット７ｃとを備えているので、家庭内での幼児から大人までの成長に応じたライフスタイルの変化に対応可能なユニット家具３０ｂを提供することができる。
【００４６】
また、本実施形態のユニット家具３０ｂによれば、柱ユニット４ｅが天井ユニット３ｂの隣り合う２つの角部に対応するように２つ設けられ、壁面ユニット７ｃが天井ユニット３ｂにおける柱ユニット４ｅが設けられていない隣り合う２つの角部の間の辺に沿って設けられているので、壁面ユニット７ｃの内側の壁面にカウンター１６を設置することにより、天井ユニット３ｂの下面側の空間にデスクスペースを形成することができると共に、天井ユニット３ｂの上面側の空間にベッドスペースを形成することができる。
【００４７】
また、本実施形態のユニット家具３０ｂによれば、柱ユニット４ｅが高さ方向に互いに連結可能に設けられた第１柱材５及び第２柱材６により構成されているので、家庭内での幼児から大人までの成長に応じたライフスタイルの変化に合わせて、所定数の柱材を高さ方向に連結することにより、柱ユニット４ｅの高さを変更することができる。
【００４８】
また、本実施形態のユニット家具３０ｂによれば、壁面ユニット７ｃが高さ方向に互いに連結可能に設けられた第１壁材８ａ及び第２壁材９により構成されているので、家庭内での幼児から大人までの成長に応じたライフスタイルの変化に合わせて、所定数の壁材を高さ方向に連結することにより、壁面ユニット７ｃの高さを変更することができる。
【００４９】
《発明の実施形態３》
図８は、本実施形態のユニット家具３０ｃの斜視図である。
【００５０】
ユニット家具３０ｃは、図８に示すように、天井ユニット３ｂと、天井ユニット３ｂの下面における各角部に立った状態に柱状にそれぞれ設けられた４つの柱ユニット４ｅと、天井ユニット３ｂの下面における図中右下側の辺に沿って互いに隣り合う一対の柱ユニット４ｅの間に立った状態に板状に設けられた壁面ユニット７ｄと、天井ユニット３ｂの上面における端縁に沿って立った状態にそれぞれ設けられた手摺ユニット１２ｂ及び１２ｃと、天井ユニット３ｂの上面における図中左上側の辺に沿って立った状態に設けられた壁面ユニット１９と、天井ユニット３ｂの端縁部に固定されるように設けられたはしご１８とを備えている。ここで、天井ユニット３ｂの短辺に沿って互いに隣り合う一対の柱ユニット４ｅの間には、図８に示すように、例えば、木製や合成樹脂製などの幕板１７が設けられている。
【００５１】
壁面ユニット７ｄは、図８に示すように、高さ方向に互いに連結可能に設けられた第１壁材８ｂ及び第２壁材９を備えている。ここで、第２壁材９は、例えば、その第１壁材８ｂ側に形成された凹部と、第１壁材８ｂに形成された凸部とを嵌合させることなどにより、第１壁材８ｂに固定されると共に、その天井ユニット３ｂ側に形成された凸部と、天井ユニット３ｂに形成された凹部とを嵌合させることなどにより、天井ユニット３ｂに固定されるように構成されている。また、第１壁材８ｂの内側の壁面には、図８に示すように、板状のカウンター１６が設けられている。なお、第１壁材８ｂは、上記実施形態１の壁面ユニット７ｂと実質的に同じ構成になっており、例えば、木製や合成樹脂製などである。
【００５２】
壁面ユニット１９は、天井ユニット３ｂの上面における壁面ユニット７ｄが設けられた辺に対向する辺に対して、立った状態に取り付け及び取り外し可能に設けられている。また、壁面ユニット１９は、その高さが、例えば、部屋の天井に到達するように設けられている。なお、壁面ユニット１９は、例えば、木製や合成樹脂製などである。
【００５３】
上記構成のユニット家具３０ｃは、天井ユニット３ｂの下面に、各柱ユニット４ｅ及び壁面ユニット７ｄを取り付けることにより、天井ユニット３ｂを水平に保持し、天井ユニット３ｂの下面側にデスクスペースのような空間を形成すると共に、天井ユニット３ｂの上面側にベッドスペースのような空間を形成するようになっている。また、上記構成のユニット家具３０ｃは、ユニットを組み替えることにより、上記実施形態１及び２のユニット家具３０ａ及び３０ｂ、後述する実施形態４及び５のユニット家具３０ｄ及び３０ｅに変形することができる。
【００５４】
以上説明したように、本実施形態のユニット家具３０ｃによれば、上記実施形態１及び２と同様に、矩形板状に設けられた天井ユニット３ｂと、天井ユニット３ｂの下面に対して、立った状態に取り付け及び取り外し可能に柱状に設けられた柱ユニット４ｅと、天井ユニット３ｂの下面に対して、立った状態に取り付け及び取り外し可能に板状に設けられた壁面ユニット７ｄとを備えているので、家庭内での幼児から大人までの成長に応じたライフスタイルの変化に対応可能なユニット家具３０ｃを提供することができる。
【００５５】
また、本実施形態のユニット家具３０ｃによれば、柱ユニット４ｅが天井ユニット３ｂの各角部に対応するように４つ設けられ、隣り合う一対の柱ユニット４ｅの間に壁面ユニット７ｄが設けられているので、壁面ユニット７ｄの内側の壁面にカウンター１６を設置することにより、天井ユニット３ｂの下面側の空間にデスクスペースを形成することができると共に、天井ユニット３ｂの上面側の空間にベッドスペースを形成することができる。そして、天井ユニット３ｂの上面における壁面ユニット７ｄが設けられた辺に対向する辺に対して、立った状態に取り付け及び取り外し可能に板状に設けられた壁面ユニット１９を備えているので、壁面ユニット１９の高さを部屋の天井に到達するように設定することにより、１つの部屋を壁面ユニット７ｄ及び１９で間仕切りすることができる。
【００５６】
《発明の実施形態４》
図９は、本実施形態のユニット家具３０ｄの斜視図である。
【００５７】
ユニット家具３０ｄは、図９に示すように、天井ユニット３ｂと、天井ユニット３ｂの下面における各角部に立った状態に柱状にそれぞれ設けられた４つの柱ユニット４と、天井ユニット３ｂの下面における図中左下側の辺に沿った互いに隣り合う一対の柱ユニット４の間、及び図中右上側の辺に沿って互いに隣り合う一対の柱ユニット４の間に立った状態に板状にそれぞれ設けられた壁面ユニット２１と、天井ユニット３ｂの下面における図中左上側の辺に沿って互いに隣り合う一対の柱ユニット４の間に立った状態に板状に設けられ、壁面ユニット２１の２倍の幅に形成された壁面ユニット（不図示）と、天井ユニット３ｂの上面における端縁に沿って立った状態に設けられた手摺ユニット１２ｄと、天井ユニット３ｂの下面における図中右下側の１辺に沿って立った状態に設けられた扉ユニット２２と、天井ユニット３ｂの図中左上側の辺の壁面ユニット（不図示）に接するように設けられた階段ユニット１４とを備えている。
【００５８】
壁面ユニット２１は、天井ユニット３ｂの下面に対して、立った状態に取り付け及び取り外し可能に設けられている。ここで、壁面ユニット２１は、例えば、その天井ユニット３ｂ側に形成された凸部と、天井ユニット３ｂに形成された凹部とを嵌合させることなどにより、天井ユニット３ｂに固定されるように構成されている。なお、壁面ユニット２１は、例えば、木製や合成樹脂製などである。
【００５９】
手摺ユニット１２ｄは、天井ユニット３ｂの上面に対して、立った状態に取り付け及び取り外し可能に設けられている。なお、手摺ユニット１２ｄは、例えば、木製や合成樹脂製などであり、その表面にクッション性の手摺カバーが設けられていてもよい。
【００６０】
扉ユニット２２は、例えば、天井ユニット３ｂの上面の１辺に形成された線状のレールに沿ってアコーディオン方式に開閉可能に設けられている。なお、扉ユニット２２は、例えば、木製や合成樹脂製などである。
【００６１】
上記構成のユニット家具３０ｄは、天井ユニット３ｂの下面に、各柱ユニット４及び壁面ユニット２１を取り付けることにより、天井ユニット３ｂを水平に保持し、天井ユニット３ｂの下面側に収納スペースのような空間を形成すると共に、天井ユニット３ｂの上面側にロフトのような空間を形成するようになっている。また、上記構成のユニット家具３０ｄは、ユニットを組み替えることにより、上記実施形態１〜３のユニット家具３０ａ〜３０ｃ、後述する実施形態５のユニット家具３０ｅに変形することができる。
【００６２】
以上説明したように、本実施形態のユニット家具３０ｄによれば、上記実施形態１〜３と同様に、矩形板状に設けられた天井ユニット３ｂと、天井ユニット３ｂの下面に対して、立った状態に取り付け及び取り外し可能に柱状に設けられた柱ユニット４と、天井ユニット３ｂの下面に対して、立った状態に取り付け及び取り外し可能に板状に設けられた壁面ユニット２１とを備えているので、家庭内での幼児から大人までの成長に応じたライフスタイルの変化に対応可能なユニット家具３０ｄを提供することができる。
【００６３】
また、本実施形態のユニット家具３０ｄによれば、柱ユニット４が天井ユニット３ｂの各角部に対応するように４つ設けられ、隣り合う柱ユニット同士の間に壁面ユニット２１又は扉ユニット２２がそれぞれ設けられているので、天井ユニット３ｂの下面側に壁面ユニット２１及び扉ユニット２２により周囲の４面が囲まれた空間を形成することができる。
【００６４】
《発明の実施形態５》
図１０は、本実施形態のユニット家具３０ｅの斜視図である。
【００６５】
ユニット家具３０ｅは、図１０に示すように、天井ユニット３ａと、天井ユニット３ａの下面における図中右下側の辺の両端の各角部に立った状態に柱状にそれぞれ設けられた一対の柱ユニット４ｅと、天井ユニット３ａの下面における隣り合う一対の柱ユニット４ｅの間に立った状態に板状にそれぞれ設けられた壁面ユニット７ｃと、天井ユニット３ａにおける一対の柱ユニット４ｅが設けられた辺に対向する辺に設けられた壁面ユニット２３と、天井ユニット３ａの上面における端縁に沿って立った状態に設けられた手摺ユニット１２ｅ及び１２ｆと、天井ユニット３ａの端縁部に固定されるように設けられたはしご１８とを備えている。
【００６６】
壁面ユニット２３は、天井ユニット３ａの１辺に対して取り付け及び取り外し可能に設けられている。ここで、壁面ユニット２３は、例えば、その天井ユニット３ａに当接する部分に形成された凹部と、天井ユニット３ａの端縁部とを嵌合させることなどにより、天井ユニット３ａに固定されるように構成されている。また、壁面ユニット２３は、その高さが、例えば、部屋の天井に到達するように設けられている。なお、壁面ユニット２３は、互いに平行に延びるように設けられた複数の縦部材と、各縦部材と直交する方向に互いに平行に延びるように設けられ、各縦部材を連結する複数の横部材とを備え、例えば、木製や合成樹脂製などにより、格子状に設けられている。
【００６７】
手摺ユニット１２ｅ及び１２ｆは、天井ユニット３ａの上面に対して、立った状態に取り付け及び取り外し可能に設けられている。なお、手摺ユニット１２ｅ及び１２ｆは、例えば、木製や合成樹脂製などであり、その表面にクッション性の手摺カバーが設けられていてもよい。
【００６８】
上記構成のユニット家具３０ｅは、天井ユニット３ａに各柱ユニット４ｅ、壁面ユニット７ｃ及び壁面ユニット２３を取り付けることにより、天井ユニット３ａを水平に保持し、天井ユニット３ａの下面側に収納スペースのような空間を形成すると共に、天井ユニット３ａの上面側にロフトのような空間を形成するようになっている。また、上記構成のユニット家具３０ｅは、ユニットを組み替えることにより、上記実施形態１〜４のユニット家具３０ａ〜３０ｄに変形することができる。
【００６９】
以上説明したように、本実施形態のユニット家具３０ｅによれば、上記実施形態１〜４と同様に、矩形板状に設けられた天井ユニット３ａと、天井ユニット３ａの下面に対して、立った状態に取り付け及び取り外し可能に柱状に設けられた柱ユニット４ｅと、天井ユニット３ａの下面に対して、立った状態に取り付け及び取り外し可能に板状に設けられた壁面ユニット７ｃと、天井ユニット３ａに対して、取り付け及び取り外し可能に設けられた壁面ユニット２３とを備えているので、家庭内での幼児から大人までの成長に応じたライフスタイルの変化に対応可能なユニット家具３０ｅを提供することができる。
【００７０】
また、本実施形態のユニット家具３０ｅによれば、柱ユニット４ｅが天井ユニット３ａの隣り合う２つの角部に対応するように２つ設けられ、２つの柱ユニット４ｅの間に壁面ユニット７ｃが設けられ、天井ユニット９ａにおける柱ユニット４ｅが設けられていない隣り合う２つの角部の間の一辺に対して、取り付け及び取り外し可能に設けられた壁面ユニット２３を備えているので、天井ユニット３ａの下面側に互いに対向する壁面ユニット７ｃ及び壁面ユニット２３の２面で囲まれた空間を形成することができると共に、壁面ユニット２３の高さを部屋の天井に到達するように設定することにより、１つの部屋を壁面ユニット２３で間仕切りすることができる。
【００７１】
《その他の実施形態》
上記各実施形態では、ライフスタイルの変化に対応可能なユニット家具３０ａ〜３０ｅを例示したが、本発明は、各ユニットを強固にすると共に、各ユニット間をより強固に固定することにより、例えば、地震などが発生した際の避難用のシェルターとして利用可能なユニット家具にも適用することができる。
【００７２】
また、上記各実施形態では、ユニット家具の構成を幾つか例示したが、本発明は、各実施形態を適宜組み合わせてもよい。
【産業上の利用可能性】
【００７３】
以上説明したように、本発明は、家庭内での幼児から大人までの成長に応じたライフスタイルの変化に対応可能であるので、家庭の屋内で使用する家具について有用である。
【符号の説明】
【００７４】
Ｈ      開口部
３ａ，３ｂ    天井ユニット
４，４ａ〜４ｅ    柱ユニット
５      第１柱材
６      第２柱材
７ａ〜７ｄ    壁面ユニット
８ａ，８ｂ    第１壁材
９      第２壁材
１０ａ，１０ｂ    蓋材
１２ａ〜１２ｅ    手摺ユニット
１４    階段ユニット
１９，２３        壁面ユニット
３０ａ〜３０ｅ    ユニット家具
【図１】
2014195486.tif 000003
【図２】
2014195486.tif 000004
【図３】
2014195486.tif 000005
【図４】
2014195486.tif 000006
【図５】
2014195486.tif 000007
【図６】
2014195486.tif 000008
【図７】
2014195486.tif 000009
【図８】
2014195486.tif 000010
【図９】
2014195486.tif 000011
【図１０】
2014195486.tif 000012